(57)【特許請求の範囲】
【請求項１】
自動放水モード又は手動放水モードを選択する放水モード選択部を含む、火災や放水に関する各種操作部と、火災発生時、放水時および前記操作部の操作時に点灯または点滅する表示部とが、盤面上に設けられた消火システム制御盤において、
前記操作部を火災発生時から放水時までの流れに沿って盤面上の上方または左方から下方または右方にわたって配置し、
前記放水モード選択部から前記手動放水モードの流れと前記自動放水モードの流れとに分岐する表示を含み、前記手動放水モードの流れは放水区画を選択する区画選択部と放水を開始させる放水開始スイッチとを介して、また、前記自動放水モードの流れは前記区画選択部と前記放水開始スイッチとを介さず、それぞれ放水時に点灯する放水中灯へ至るように、前記操作部同士を操作の順番を示す矢印部で結んで表示したことを特徴とする消火システム制御盤。
【請求項２】
火災時に点灯する火災灯と、放水時に点灯する放水中灯と、放水モードを選択する放水モード選択部と、放水区画を選択する区画選択部と、放水を停止させる放水停止スイッチとを盤面上に備えた消火システム制御盤において、
前記火災灯、前記放水中灯、前記放水モード選択部、前記区画選択部および前記放水停止スイッチのいずれかの間に、表示または操作の順番を示す矢印部を表示し、該矢印部は、前記放水モード選択部から自動放水モードの経路と手動放水モードの経路に分岐して前記放水中灯に至る異なる経路に分岐する矢印部を含むことを特徴とする消火システム制御盤。
【発明の詳細な説明】
【技術分野】
【０００１】
本発明は、消火システム制御盤に関するものである。
【背景技術】
【０００２】
従来、消火システムにおける弁の開閉を制御したり各種表示を行う制御盤として、消火システム制御盤（散水制御盤ともいう）がある。この消火システム制御盤が設けられる消火システムについて図３を使用して説明する。
【０００３】
図３は防火対象物における消火システムのシステム図である。図３において、建造物等の防火対象物１には、自動火災報知設備用の火災感知器２が３つ設置されている。この防火対象物は、２つの区画Ａ，Ｂに分けられ、区画Ａ，Ｂには、消火システム専用の火災感知器３と消火装置としての固定式ヘッド４がそれぞれ設置されている。固定式ヘッド４は配管に接続されており、その配管の基端側には遠隔操作弁５が設けられ、さらにその一次側には、ポンプや水槽からなる加圧送水装置６が設けられている。また、防火対象物１には、遠隔操作弁５の開閉を制御するための機能などを備えた現地操作盤７が設置されている。
【０００４】
火災感知器２は、信号線を介して防災センタに設けられた火災受信機８に接続されている。防災センタには、消火システム制御盤１０が設けられ、消火システム制御盤１０には、信号線を介して消火システム専用の火災感知器３が接続されている。更に、この消火システム制御盤１０には、信号線を介して、火災受信機８、現地操作盤７およびポンプ制御盤９が接続されている。ポンプ制御盤９は、加圧送水装置６と共に消火ポンプ室に設置されている。なお、この図３は、消火システムの一例であり、火災感知器の個数や区画の数は、防火対象物の大きさによって変更され、また消火装置としては、固定式ヘッド以外に放水銃を使用するようにしてもよい。
【０００５】
図３の消火システムに使用される消火システム制御盤には、特許文献１に示すようなものがある。この特許文献１に示される消火システム制御盤の盤面図を図４に示す。図４に示すように、消火システム制御盤の盤面上部には、火災時や放水時に点灯する火災灯や放水中灯が設けられる。また火災灯の下側には、どの区画で放水を行うかを選択する（正確には、どの区画における遠隔操作弁を開放させるかを選択する）スイッチが５つ設けられている。そして、区画選択用のスイッチの下側には、自動モードまたは手動モードのどちらのモードが選択されているかを示す表示灯が設けられる。また、現地操作盤側から放水を行うのか、消火システム制御盤側から放水を行うかを決める操作権のスイッチと、その放水する権限（操作権）がどちらの盤にあるかを示す表示灯が設けられる。これらスイッチの下側には、自動モードで放水するか、手動モードで放水するかを選択する操作部と、放水を停止する停止スイッチが設けられる。
【先行技術文献】
【特許文献】
【０００６】
【特許文献１】特開２０００−３２８号公報
【発明の概要】
【発明が解決しようとする課題】
【０００７】
消火システム制御盤の盤面には、色々な操作用のスイッチや表示灯が設けられており、、盤の操作員が操作しにくいという問題がある。そこで、本発明は、盤面におけるスイッチや表示灯の配置等を工夫して、操作性を向上させることを目的とする。
【課題を解決するための手段】
【０００８】
本発明は、自動放水モード又は手動放水モードを選択する放水モード選択部を含む、火災や放水に関する各種操作部と、火災発生時、放水時および前記操作部の操作時に点灯または点滅する表示部とが、盤面上に設けられた消火システム制御盤において、前記操作部を火災発生時から放水時までの流れに沿って盤面上の上方または左方から下方または右方にわたって配置し、前記放水モード選択部から前記手動放水モードの流れと前記自動放水モードの流れとに分岐する表示を含み、前記手動放水モードの流れは放水区画を選択する区画選択部と放水を開始させる放水開始スイッチとを介して、また、前記自動放水モードの流れは前記区画選択部と前記放水開始スイッチとを介さず、それぞれ放水時に点灯する放水中灯へ至るように、前記操作部同士を操作の順番を示す矢印部で結んで表示したことを特徴とするものである。
【発明の効果】
【０００９】
本発明によれば、盤面上に設けられる操作部や表示部は、操作の順番に従って配置されているので、視認性が良い。また、操作部と操作部、または操作部と表示部との間には、操作の順番を示す矢印部がフローチャートのように表示されているので、どの順番で操作部を操作していいのかがわかりやすく、操作性が向上する。
【図面の簡単な説明】
【００１０】
【図１】本発明の消火システム制御盤の正面図である。
【図２】消火システム制御盤の盤面拡大図である。
【図３】消火システムのシステム図である。
【図４】従来の消火システム制御盤の盤面図である。
【発明を実施するための形態】
【００１１】
本発明の一実施の形態に係る消火システム制御盤を図１、図２に基づいて説明する。なお、この消火システム制御盤は、従来技術で示した図３の消火システムで使用されるものであり、消火システムにおける消火装置や遠隔操作弁を制御すると共に、火災感知器が動作したときに、火災灯を点灯する機能などを備えている。
【００１２】
図１は消火システム制御盤１００の正面図である。消火システム制御盤１００は、直方体状の筐体から構成されており、正面（前面）には、各種操作部および各種表示部を備えた盤面１００Ｃが形成されている。この図１の盤面部分を拡大したものを図２に示す。
【００１３】
図２において、消火システム制御盤１００の盤面１００Ｃは、高さ方向において、４つの領域に分けられている。盤面１００Ｃの最上部には、（１）表示灯領域２０が設けられ、その下側には、（２）放水モード領域３０が設けられ、その下側には（３）放水制御領域４０が設けられる。そして、盤面の最下部には、（４）その他操作部領域５０が設けられる。４つの領域２０、３０、４０、５０には、表示灯領域２０を除いて、火災や放水に関する各種操作部が設けられる。また、表示灯領域２０には、火災時に点灯する表示部としての火災灯２１が設けられ、放水制御領域４０には、放水時に点灯する放水中灯４１が設けられる。各領域２０、３０、４０、５０にあるスイッチ等で構成される操作部の左側には、ＬＥＤからなる表示部が設けられ、スイッチの操作時に点灯または点滅するように構成されている。なお、火災灯２１及び放水中灯４１は、それぞれ火災時と放水時に点灯するとしたが、点滅するものであってもよい。
【００１４】
この消火システム制御盤１００の盤面１００Ｃに設けられる各種操作部は、火災発生時から放水時までの流れに沿って盤面上の上方（上部）から下方（下部）にわたって配置されている。言い換えれば、火災発生時において、操作すべきスイッチ（操作部）から盤面の上方に配置されており、盤面１００Ｃの下側に行くほど、操作処理において、後で操作すればよいスイッチとなっている。
【００１５】
また、表示部についても、同様に、火災発生時から放水時、正確には、火災発生時から放水、放水停止までの流れに沿って盤面上の上部から下部にわたって配置されている。言い換えれば、火災発生時において、はじめに点灯する表示部から盤面の上部に配置されており、放水中灯４１のように火災発生時において、終わりに点灯する表示部は盤面１００Ｃの高さ方向の中央より下側に配置されている。
【００１６】
操作部や表示部が、このように配置されるため、火災時において、防災センタの操作員は、盤の上部から下部にわたって順々に操作していくことで、確実に消火装置の放水操作を行うことが可能となっており、操作性にも視認性にも優れているという効果がある。
【００１７】
各領域２０、３０、４０、５０に設けられる操作部同士または操作部と表示部との間は、操作の順番を示す矢印部６０で結んで表示されている。矢印部６０は、盤面１００Ｃ上において、例えば、所定の幅を有した白抜きで表示されるように盤面に印刷したものである。火災時における操作手順は、この矢印部６０の矢印の先端側に向かって、処理をすすめれば良いようになっている。つまり盤面全体が、あたかもフローチャートのような表示形式となっている。
【００１８】
以下に、図２における表示部と操作部の詳細を領域２０、３０、４０、５０毎に説明する。
【００１９】
（１）表示灯領域２０
表示灯領域２０は、上部のシステム状態表示部と下部の火災発生表示部とから構成される領域である。火災時に点灯する火災灯２１の上部には、システム状態表示部として交流電源灯や故障時に点灯する故障灯などの表示灯をまとめた各種表示灯２２が設けられる。そして、火災発生表示部としての火災灯２１の下部には、各区画毎の火災状況を示す地区灯２３が設けられる。地区灯２３は、３つの表示灯から構成されており、最上部に区画灯２３Ａ、中央部に自火報灯２３Ｂ、最下部に消火専用灯２３Ｃが設けられる。この地区灯２３は、区画数に応じて設けられ、図２の場合には、横並びで５つ設けられており、５区画（５回線）に相当するものとなっている。
【００２０】
（２）放水モード領域３０
放水モード領域３０の上部には、自動放水モードと手動放水モードを選択する放水モード選択部３１が設けられる。放水モードの選択は、専用の鍵を使用して行われ、その鍵を回すことで、放水モードを選択できる。放水モード選択部３１の右側方には、いずれの放水モードであるかを表示する放水モード表示灯３１Ａが設けられる。通常は、自動放水モードに設定されており、火災時には、自動で遠隔操作弁が開放されて消火水が供給され、消火装置から放水を行えるようになっている。
【００２１】
放水モード選択部３１における表示灯３１Ａの横には、放水モードの説明書きを記載した領域を介して、音響停止スイッチ３３が設けられる。このように盤面上に説明書きを記載した領域を、対象となる操作部の近傍に設けることで、操作の理解を助けるようにしてある。
そして放水モード選択部３１の下側には、自動放水モードの説明を記載したモード説明領域３４が設けられ、その横であって、音響停止スイッチ３３の下側に放水開始タイマ３５が設けられる。放水開始タイマ３５は、放水が開始されるまでの残り時間をカウント表示するもので、例えば、１８０秒からカウントダウンし、０秒になったときに、放水を開始する制御を行う。なお、放水開始タイマ３５の近傍には、必要に応じて、「放水開始タイマ３５」の説明書きを記載した領域を設けるようにしてもよい。
【００２２】
放水モード選択部３１とモード説明領域３４との間には、モード説明領域３４側に向かって垂直方向に矢印が伸びる下向きの第１の矢印部６０Ａが表示される。この第１の矢印部６０Ａは、その後端が、一番左側に位置する地区灯２３の部分に接しており、地区灯２３からモード説明領域３４まで伸びる矢印となっている。放水モード選択部３１と放水開始タイマ３５との間には、放水開始タイマ３５側に向かって水平方向に矢印が伸びる横向きの第２の矢印部６０Ｂが表示される。この第２の矢印部６０Ｂは、第１の矢印部６０Ａの途中から分岐している。このように、放水モード領域３０においては、操作手順（操作の順番）を示すために、矢印部としての第１の矢印部６０Ａと、第２の矢印部６０Ｂとが盤面上に表示されている。
【００２３】
（３）放水制御領域４０
放水制御領域４０には、放水時に点灯して放水中であることを示す放水中灯４１が設けられる。放水中灯４１は、横長の矩形領域で形成され、火災灯２１とほぼ同じ長さであり、視認性をよくしてある。放水中灯４１の横には、放水を開始させる放水開始スイッチ４２が設けられ、また放水中灯４１の下には、放水を停止させる放水停止スイッチ４３が設けられる。
【００２４】
放水開始スイッチ４２および放水中灯４１の上側には、放水区画を選択する区画選択部４４が設けられる。本実施例では、区画数が５つのため、区画選択部４４は、横並びで設けられた５つの放水区画選択スイッチから構成されている。この放水区画選択スイッチを操作することで、放水制御する権限である操作権を取得でき、スイッチの操作があれば、消火システム制御盤１００側に操作権があることを示す表示灯が点灯する。逆に現地操作盤７（図３参照）で放水区画選択スイッチの操作があれば、現地操作盤７側に操作権があることを示す表示灯を点灯させる。なお、この操作権を示す表示灯は、区画選択部４４の領域内の右上部にそれぞれ設けられる。
【００２５】
モード説明領域３４と区画選択部４４との間には、区画選択部４４側に向かって垂直方向に矢印が伸びる下向きの第３の矢印部６０Ｃが表示される。また、区画選択部４４と放水開始スイッチ４２との間には、放水開始スイッチ４２側に向かって垂直方向に矢印が伸びる下向きの第４の矢印部６０Ｄが表示される。また、放水開始スイッチ４２と放水中灯４１との間には、放水中灯４１側に向かって水平方向に矢印が伸びる横向きの第５の矢印部６０Ｅが表示される。また、放水開始タイマ３５と放水中灯４１との間には、放水中灯４１側に向かって垂直方向に矢印が伸びる下向きの第６の矢印部６０Ｆが表示される。そして、放水中灯４１と放水停止スイッチ４３との間には、垂直方向に放水停止スイッチ４３側に向かって矢印が伸びる下向きの第７の矢印部６０Ｇが表示される。
【００２６】
このように操作手順（操作の順番）を示すために、矢印部６０は、７つの矢印部６０Ａ〜６０Ｇによって構成されているが、必ずしも全ての矢印部が必要というわけではない。いずれか一部分だけに矢印部を設けるようにしたものであってもよい。また、矢印部は操作の順番を表示するものであるが、表示の順番を表示するものとしても使用される。
【００２７】
（４）その他操作部領域５０（保守操作部領域）
その他操作部領域５０には、遮断用スイッチ５１、試験用スイッチ５２、復旧スイッチ５３、電話ジャック５４が設けられる。図示はしないが、放水停止スイッチ４３と復旧スイッチ５３との間に矢印部を表示するようにしてもよい。
【００２８】
本実施形態においては、火災灯２１、放水中灯４１、放水開始作動中灯３５Ａ、地区灯２３およびスイッチの横にあるＬＥＤなどが表示部の一例である。また、放水モード選択部３１、音響停止スイッチ３３、放水区画選択部４４、放水開始スイッチ４２、放水停止スイッチ４３および復旧スイッチ５３などが操作部の一例である。
【００２９】
次に、この消火システム制御盤１００における火災時の放水処理の操作手順について説明する。防火対象物１において、火災が発生すると、まず自火報用の火災感知器２が火災を検知して、火災信号を火災受信機８に出力する。火災受信機８は、この火災信号を消火システム制御盤１００に移報する。消火システム制御盤１００で、火災信号を受信すると、火災が発生した区画における自火報灯２３Ｂが点灯する。
【００３０】
続いて、消火システム専用の火災感知器３が動作（発報）すると、消火専用灯２３Ｃが点灯する。消火システム制御盤１００では、同じ区画にある自火報用の火災感知器２と消火システム専用の火災感知器３が発報すると、区画灯２３Ａを点灯させると共に、火災灯２１を点灯させる。
防災センタの操作員は、区画灯２３Ａと火災灯２１の点灯により、防火対象物１で火災が発生したことを認識する。この際、消火システム制御盤１００からは、火災警報が音響装置より出力され、音響停止スイッチ３３を押すことで、主音響を停止できる。なお、この後、引き続き別の区画でも火災が発生した場合には、該当する区画の区画灯２３Ａが点滅表示となって、どの区画で第２報が発生したかがわかるようになっている。
【００３１】
区画灯２３Ａの点灯に伴い、矢印部６０Ａを見ることで、次の操作として、放水モードを操作すればいいことが理解できる。消火システム制御盤１００が自動放水モードに設定されている場合において、火災が発生したことが確定すると、放水開始タイマ３５が１８０秒の状態からカウントダウン表示をする。このとき、放水モード選択部３１にある放水モード表示灯３１Ａの「自動放水」の部分が点灯している。
【００３２】
ここで、矢印部６０Ａ、矢印部６０Ｂおよび矢印部６０Ｃの矢印側を見ることで、モード説明領域３４の内容を読んで、手動放水モードを選択するかを検討でき、また放水開始タイマ３５でカウントダウンがはじまったことを認識することができる。
放水開始タイマ３５のカウントダウン中は「放水開始タイマ作動中」灯３５Ａが点滅する。放水開始タイマ３５のカウントがカウントダウンし、カウントが０になると、放水を開始する。
【００３３】
放水開始タイマ３５のカウントダウン中に、直ちに放水を行いたい場合には、放水モード選択部３１を手動放水モードに切り換える。この操作により、放水開始タイマ３５は、一時停止するので、区画選択部４４により、放水したい区画を選択し、放水開始スイッチ４２を押す。この操作により、対象となる区画に放水をすることが可能となる。このとき、区画選択部４４の操作により、操作されたスイッチの所の表示灯（放水区画選択灯）が点滅する。
【００３４】
なお、現地操作盤７で、同様な操作によって、放水を行うことが可能である。この場合には、現地操作盤７にある図示しないタイマ停止スイッチを操作して放水開始タイマ３５の停止を行う。
【００３５】
放水開始タイマ３５のタイマの値が０になると、対象となる区画の遠隔操作弁５が開放すると共に、ポンプ制御盤９により、加圧送水装置６が起動され、その結果、火災が発生した区画において放水銃などから放水が行われ火災を消火する。この遠隔操作弁５の開放制御が行われると、放水中灯４１が点灯する。防災センタの操作員は、放水開始タイマ３５が０になったとき、矢印部６０Ｆの先端に案内されて、放水中灯４１を見るので、放水が行われていることを認識できる。なお、手動放水モードの場合には、矢印部６０Ｄ、６０Ｅに案内されて、放水中灯４１の点灯を認識することが可能となる。
【００３６】
火災が完全に消火されたことを確認したら、矢印部６０Ｇの先端にある放水停止スイッチ４３を操作して、遠隔操作弁５を閉止制御して、消火水の供給を停止する。ここで、放水中灯４３は消灯される。また復旧スイッチ５３を押すことで、火災灯２１、区画灯２３Ａ、消火専用灯２３Ｃも消灯される。自火報灯２３Ｂについては、火災受信機８から出力がなくなったときに消灯する。
【００３７】
このように、本発明によれば、消火システム制御盤１００の盤面上に設けられる操作部や表示部は、操作の順番に従うように、上部から下部にわたって配置されているので、視認性が良い。また、操作部や表示部の間には、操作の順番を示す矢印部がフローチャートのように表示されているので、どの順番で操作部を操作していいのかがわかりやすく、操作性が向上する。
【００３８】
本発明は以上説明した通りであるが、以下のようにすることも可能である。
（１）矢印部は、単なる白抜きの印刷表示としたが、矢印部の輪郭内にＬＥＤなどの発光体を設けて、次に操作する操作部への流れを示す矢印部だけを点滅表示させるようにして、操作の案内機能を高めるようにしてもよい。
（２）操作スイッチの横にあるＬＥＤは、点滅周期を変えて点滅表示させるようにしてもよい。例えば、放水区画の選択スイッチの横にあるＬＥＤを、放水開始タイマのカウントダウン中（放水予告中）には、２Hzで点滅させ、放水制御中に１Hzで点滅させ、放水中には、常時点灯させるようにしてもよい。このようにすることで、操作に対する状況が認識しやすくなる。
【００３９】
また、火災発生時において、複数の区画で火災が起きた場合には、区画等の点灯・点滅具合で、火災発生の順序が認識できるようにしてもよい。例えば、一番早く火災が発生した区画の区画灯は常時点灯、二番目に火災が起きた区画の区画灯は、早い周期で点滅、三番目に火災が起きた区画の区画灯は、遅い周期で点滅させるようにすればよい。一例として、火災発生を示す区画灯を、第１報目の区画は常時点灯させ、第２報目の区画は２Hzで点滅させ、第３報目の区画は１Hzで点滅させるようにしてもよい。このようにすると、火災が複数の箇所で発生した場合に、火災が発生した順番を認識することが可能となる。
【００４０】
本発明の実施形態の表示部は、操作の順番に従うように、盤面上の上部から下部にわたって配置されているが、これに限定するものではなく、例えば、左方（左方向）から右方（右方向）にわたって配置するようにしてもよい。
【符号の説明】
【００４１】
２０  表示灯領域、  ２１  火災灯、  ２３  地区灯、
３０  放水モード領域、  ３１  放水モード選択部、  ３５  放水開始タイマ、  
４０  放水制御領域、  放水中灯、  ４２  放水開始スイッチ、
４３  放水停止スイッチ、  ４４  放水区画選択部、
５０  その他操作部領域、  ５３  復旧スイッチ、  ６０  矢印部、
１００  消火システム制御盤、  １００Ｃ  盤面、ｔｔ
【図３】
0005368389.tif 000002
【図４】
0005368389.tif 000003
【図１】
0005368389.tif 000004
【図２】
0005368389.tif 000005